(57)【要約】【課題】レジカウンターで代金を精算する販売方式に利用でき、選択した商品を間違いなく取り出すことができ、しかも内部構造を簡略化して製造コストを抑えることができる什器と、この什器を使用した使用品販売システムを提供する。【解決手段】複数種の商品サンプル５の陳列棚４と、選択ボタン６と、複数種の商品を収容するコラム８と、各コラムのそれぞれについて選択ボタン６により商品が選択されたときに搬出動作を行うように設置された商品搬出装置９と、商品搬出装置９により搬出される商品を取り出せるように本体２の背面もしくは側面に設けた商品の取出口１０とを備える什器１であり、コラム８を上下複数段に設け、各段毎に取出口１０を設ける。【選択図】図５
2009098714.tif 000002
【特許請求の範囲】
【請求項１】
本体前面部に設けた複数種の商品サンプルの陳列棚と、商品サンプルの各々に対応して本体前面に設けた商品の選択ボタンと、本体内において複数種の商品をそれぞれ収容するコラムと、各コラムのそれぞれについて配置され前記選択ボタンにより商品が選択されたときに搬出動作を行う商品搬出装置と、この商品搬出装置により搬出される商品を取り出せるように本体の背面もしくは側面に設けた商品の取出口とを備えてなる什器であって、前記コラムが上下複数段に設けられ、各段毎に前記取出口が設けられてなることを特徴とする什器。
【請求項２】
前記各段の取出口は、商品を収容する複数のコラムが左右に並列している各段毎に本体の背面もしくは側面より突出する一つの受け部を有してなることを特徴とする請求項１に記載の什器。
【請求項３】
請求項１又は２に記載の什器を、レジカウンターに並列して、前記選択ボタンを購入者の通路側に、前記取出口をレジカウンター内側に向けて設置しておき、レジカウンター前を通る購入者が選択ボタンを操作し購入しようとする商品を選択したときに、商品搬出装置によって取出口に搬出される商品を販売員が取り出し販売処理することを特徴とする商品販売システム。
【発明の詳細な説明】
【技術分野】
【０００１】
本発明は、スーパーマーケットやコンビニエンスストア等の店舗内のレジカウンターにおいて、購入者の選択したタバコ等の商品を販売員が取出して販売するための什器、及び商品販売システムに関するものである。
【背景技術】
【０００２】
一般に、スーパーマーケットやコンビニエンスストア等の店舗において、例えばタバコ等の商品については、年齢制限の対応等のために、レジカウンターの近傍や販売員側の背後に、タバコ等の商品を販売するめたの陳列ケース等の什器を設置しておき、購入者の注文に応じて販売員が商品を取り出して、商品と引き替えに代金を受け取る対面販売の方式が多くなっている。
【発明の開示】
【発明が解決しようとする課題】
【０００３】
しかしながら、前記販売方式では、タバコの銘柄が多数あることから、これらの商品の識別が難しく、販売員が該当する商品を探し出すのが難しく、取り出し作業が煩わしい上に、口頭で注文することもあって、販売員が商品を取り違える等の間違いが発生するという問題があった。
【０００４】
そこで、本発明者は、レジカウンターに並列して設置しておいて、購入者が前面の商品の選択ボタンを押すことで、背面もしくは側面に設けた商品の取出口に選択された該当商品を搬出できて、例えばレジカウンター内の販売員が該当商品を間違いなく取り出して販売することができる商品取出用の什器、及び該什器を使用した商品販売システムを開発するに至ったものである。
【０００５】
この場合、通常の自動販売機等のように、商品の取出口が本体内部の多段のコラムと関係なく一つの取出口しか設けられていないと、該取出口がコラムより上部の位置にある場合は、コラムから押し出し搬出される商品を取出口にまで搬送するためのエレベータ機構等の搬送手段が必要になり、本体の内部機構が複雑になってコスト高になる。また、一つの取出口が本体下部の低い位置にあると、販売員は商品を取り出す作業の度に屈まなければならず、この屈み動作が多くなって、販売員の負担が増大することになる。
【０００６】
本発明は、前記のタバコ等の商品取出用の什器及び商品販売システムにおける前記の問題をも解決して、エレベータ機構等の搬送手段が不要で、しかも販売員が購入者が選択した商品を容易に取り出すことができるようにするものである。
【課題を解決するための手段】
【０００７】
本発明は上記の課題を解決する什器であり、本体前面部に設けた複数種の商品サンプルの陳列棚と、商品サンプルの各々に対応して本体前面に設けた商品の選択ボタンと、本体内において複数種の商品をそれぞれ収容するコラムと、各コラムのそれぞれについて配置され前記選択ボタンにより選択されたときに搬出動作を行う商品搬出装置と、この商品搬出装置により搬出される商品を取り出せるように本体の背面もしくは側面に設けた商品の取出口とを備えてなる什器であって、前記商品収容コラムが上下複数段に設けられ、各段毎に前記取出口が設けられてなることを特徴とするものである。
【０００８】
前記の什器において、前記各段の取出口は、複数の商品を収容するコラムが左右に並列している各段毎に本体の背面もしくは側面より突出する一つの受け部を有してなるものとすることができる。
【０００９】
また、本発明の商品販売システムは、前記発明の什器を、スーパーマーケットやコンビニエンスストア等の店舗内のレジカウンターに並列して、前記選択ボタンをレジカウンターを通る購入者の通路側に、前記取出口をレジカウンター内側に向けて設置しておき、レジカウンター前を通る購入者が選択ボタンを操作し購入しようとする商品を選択したときに、商品搬出装置によって取出口に搬出される商品を販売員が取り出し販売処理することを特徴とする。
【発明の効果】
【００１０】
本発明の什器によれば、購入者が前面の商品の選択ボタンを操作することで、背面もしくは側面において本体内のコラムの各段毎に設けた取出口に選択された該当商品を搬出できる。そのため、什器内部にコラムから搬出された商品を取出口に搬送するためのエレベータ機構等の搬送手段が不要であり、内部構造を簡略化でき、製造コストを抑えることができる。
【００１１】
また、前記の什器を使用した本発明の商品販売システムによれば、レジカウンター内の販売員が購入者が選択した商品を間違いなく取り出して販売することができ、販売量や売上額を一元化して集計できる。しかも、販売員は商品の取り出しの際に必ずしも大きく屈む必要がなく、屈み動作の割合を少なくすることができ、販売員の作業負担を抑えることができる。
【発明を実施するための最良の形態】
【００１２】
次に本発明の実施の形態を図面に示す実施例に基づいて説明する。
【００１３】
図１及び図２は本発明の１実施形態の商品取出用の什器を使用した商品販売システム全体の実施例を示す前方からと後方からの概略斜視図である。図３は同上什器の正面図、図４は同上什器の背面図、図５は同上什器の略示断面図である。
【００１４】
この実施形態の什器１は、販売対象の商品がタバコであり、タバコを収容している本体２の前面には、前面開口部を閉塞するドア３が設けられ、該ドア３の前面部に、販売対象の商品である複数種の銘柄のタバコの商品サンプル５を上下複数段で配列している陳列棚４が設けられている。前記商品ンプル５は販売対象商品のタバコの表面の図柄を印刷表示したシート等から形成され、その表面を前面に向けて保持され陳列されている。陳列棚４の前面は透明な樹脂製パネルのカバーで覆われている。
【００１５】
前記陳列棚４には、各商品サンプル５に対応してその下方に、商品の価格および販売可能か売り切れかを表示するランプと共に、押圧操作することで購入しようとする商品を選択する選択ボタン６が設けられている。図示する実施例の場合は、前記の選択ボタン６のほかに、本体前面の所定の個所に、前記選択ボタン６による商品の選択を決定する決定ボタン７が設けられ、選択ボタン６による商品の選択が正しいときに、その選択を決定するようになっており、該決定ボタン７を押圧操作するまでは何度でも選択ボタン６を押圧操作し直せるように構成されている。
【００１６】
本体２内には、図５の断面図に示すように、販売対象の商品である複数種の銘柄のタバコ２０を、銘柄毎に多数積み重ねて収容するコラム８が、上下複数段（図の場合は３段）に設けた各段の棚板上にそれぞれ左右に並列して所定数配設されている。前記各段の各コラム８について、それぞれ底部には、収容されている商品のタバコ２０を一個ずつ搬出できる商品搬出装置９が設けられている。
【００１７】
前記各コラム８の商品搬出装置９は、モータで駆動されるローラやチェーン、タバコ２０を押し出すプッシャー等からなる公知の搬出機構で構成されており、前記選択ボタン６及び決定ボタン７の押圧操作による商品つまりタバコの選択、決定により、該当する銘柄のタバコが収容されているコラム８についての前記商品搬出装置９が作動して、該コラム８内に積み重ねられているタバコ２０の最下段のタバコを棚板から後方へ押し出し、所定の搬出動作を行うように設けられている。すなわち、前記各商品搬出装置９は、前記選択ボタン６及び決定ボタン７の押圧操作に対応して選択、決定された商品のコラム８について商品の搬出動作を行うように制御部により制御される。前記制御部は図示を省略しているが、通常、本体２内に設けられる。
【００１８】
そして、前記本体２の背面には、前記商品搬出装置９により搬出される商品であるタバコ２０を取り出すための取出口１０が、特に上下複数段に設けられた前記コラム８の各段毎に設けられており、前記のように商品搬出装置９により後方に押し出される商品のタバコ２０を直に取出口１０に搬出できるようになっている。
【００１９】
図の場合、前記各段の取出口１０は、商品を収容する複数のコラム８が左右に並列している各段毎に、本体２の背面から斜め下方に突出する斜めの受け皿状をなす一つの受け部１１が設けられており、前記商品搬出装置９により搬出される商品のタバコ２０を、各段毎に共通の前記受け部１１で受けるようになっている。
【００２０】
前記取出口１０における受け部１１は、図のような斜めの受け皿状をなすものに限らず、水平の受け皿状をなすものや、凹溝状をなすもの等、搬出されるタバコ２０等の商品を受けることができるものであればよい。また、前記取出口１０は、前記の受け部１１がなく、商品が背面あるいは側面の開口から飛び出すような取出口であってもよい。
【００２１】
前記構成の什器１は、図１及び図２に示すように、スーパーマーケットやコンビニエンスストア等の店舗内のレジカウンター１２に並列して、前記選択ボタン６を有する前面をレジカウンター１２を通る購入者の通路側に、前記取出口１０をレジカウンター１２の内側、レジカウンター１２及びレジカウンター内の販売員側に向けて設置しておく。レジカウンター１２の上面には、タバコ２０やその他の商品のバーコードを読み取ったりその他の上方を入力するための入力部１３が設置されており、またレジカウンター１２の端部には、お金を収納したり、前記入力部１３で得た情報等に基づいて計算等を行うレジスターの本体部１４が設置されている。
【００２２】
前記什器１内のタバコ等の商品の販売は次のように行われる。レジカウンター１２の前を通る購入者がタバコを購入しようとする場合、矢印で示すように、まず前記什器１の前で陳列棚４の中の商品サンプル５の中から、購入しようとするタバコの商品サンプル５を選択し、該商品サンプル５に対応する選択ボタン６を押圧操作し、さらに必要な場合は、選択された商品に間違いがなければ決定ボタン７を押圧操作して、購入しようとする銘柄のタバコを選択、決定する。すると、本体１に設けた制御部によって、本体２内の多数のコラム８のうち、前記のように選択、決定されたタバコに対応するコラム８の商品搬出装置９が作動して、該コラム８内に積み重ね状態で収容されているタバコ２０のうちの最下層のタバコを後方へ押し出し、本体２の背面に設けられている取出口１０に、特には受け部１１に搬出する。
【００２３】
そこで、販売員は前記取出口１０に搬出された商品のタバコ２０を取り出し、そのまま他の購入商品と同様にバーコードにより処理し、他の購入商品とともに購入者から商品代金を受けとり精算することで販売を完了する。
【００２４】
従って、前記什器１を使用した商品販売システムによれば、什器１は、通常の自動販売機とは異なり、紙幣、硬貨の投入口及び金銭識別装置は不要であり、また商品搬出装置９により搬出された商品を取出口１０に搬送するためのエレベータ機構等の搬送手段が不要であり、全体構成を簡略化でき、製造コストを低く抑えることができる。しかも、販売量や売上額を他の商品と共に一元化して集計できる。また、前記商品の取り出しの際、商品取り出しの間違いが生じないばかりか、販売員は必ずしも大きく屈まずに商品を取り出すことができ、屈み動作の割合を少くすることができ、販売員の負担増を抑えることができる。
【００２５】
なお、商品の取出口１０は、図のように本体２の背面でなく、本体２の側面において、上下複数段に設けられた前記コラム８の各段毎に、前記同様の構成の取出口を設けてもよく、この場合、前記選択ボタン６を有する前面を購入者の通路側に、前記取出口１０をレジカウンター１２や販売員側に向けて設置して上記同様に実施することができる。
【００２６】
さらに、上記の実施例では、販売対象の商品を主にタバコとして説明したが、本発明はこれに限るものではなく、酒類、各種飲料類、電池等のその他の各種商品の販売にも適用できる。また、スーパーマーケットやコンビニエンスストア以外の店舗においても利用できる。
【図面の簡単な説明】
【００２７】
【図１】本発明の１実施形態の什器を使用した商品販売システム全体の実施例を示す前方からの概略斜視図である。
【図２】同上の後方からの概略斜視図である。
【図３】同上の什器の正面図である。
【図４】同上の什器の背面図である。
【図５】同上の什器の略示断面図である。
【符号の説明】
【００２８】
１…什器、２…本体、３…ドア、４…陳列棚、５…商品サンプル、６…選択ボタン、７…決定ボタン、８…コラム、９…商品搬出装置、１０…取出口、１１…受け部、１２…レジカウンター、１３…入力部、１４…レジスターの本体部、２０…タバコ。
【図１】
2009098714.tif 000003
【図２】
2009098714.tif 000004
【図３】
2009098714.tif 000005
【図４】
2009098714.tif 000006
【図５】
2009098714.tif 000007